(57)【要約】【課題】車両が衝突しても、従来以上に破損や飛散から歩行者を保護し、かつ、歩行者に対して不快感を与えることの少ないガードレール構造体を提供する。【解決手段】道路の走行方向に沿って歩道との境界に設置されるガードレール構造体１０は、プレキャストコンクリート壁面１２と、プレキャストコンクリート壁面１２の少なくとも歩道側の面に設けられ、プレキャストコンクリート壁面が車両衝突により破損した際の破片飛散を抑制する竹製あるいは木製の自然素材構造体１４を備える。【選択図】図１
2020122361.tif 000002
【特許請求の範囲】
【請求項１】
道路の走行方向に沿って歩道との境界に設置されるガードレール構造体であって、
プレキャストコンクリート壁面または金属フェンス壁面と、
前記プレキャストコンクリート壁面または金属フェンス壁面の少なくとも前記歩道側の面に設けられ、前記プレキャストコンクリート壁面または金属フェンス壁面が車両衝突により破損した際の破片飛散を抑制する竹製あるいは木製の自然素材構造体と、
を備えるガードレール構造体。
【請求項２】
前記プレキャストコンクリート壁面は、鉛直方向に配置された防錆鉄筋を備える
請求項１に記載のガードレール構造体。
【請求項３】
前記プレキャストコンクリート壁面は、ポーラスコンクリートである
請求項１に記載のガードレール構造体。
【請求項４】
前記竹製の自然素材構造体は、前記プレキャストコンクリート壁面に一体成形される
請求項１に記載のガードレール構造体。
【請求項５】
前記自然素材構造体は、前記プレキャストコンクリート壁面または金属フェンス壁面に固定具で地面より高い位置に固定される
請求項１に記載のガードレール構造体。
【請求項６】
道路の走行方向に沿って歩道との境界に設置されるガードレール構造体であって、
プレキャストコンクリート壁面または金属フェンス壁面と、
前記プレキャストコンクリート壁面または金属フェンス壁面の少なくとも前記歩道側の面に設けられ、前記プレキャストコンクリート壁面または金属フェンス壁面が車両衝突により破損した際の破片飛散を抑制する緑化複合マットと、
を備えるガードレール構造体。
【請求項７】
前記プレキャストコンクリート壁面は、鉛直方向に配置された防錆鉄筋を備える
請求項６に記載のガードレール構造体。
【請求項８】
前記プレキャストコンクリート壁面は、ポーラスコンクリートである
請求項６に記載のガードレール構造体。
【請求項９】
前記緑化複合マットは、鉛直方向に配置された吸水体と間伐材と土を備える
請求項６に記載のガードレール構造体。
【請求項１０】
前記吸水体の下端は、前記道路の雨水溝に挿入される
請求項９に記載にガードレール構造体。
【発明の詳細な説明】
【技術分野】
【０００１】
本発明はガードレール構造体に関し、特にハイブリッド構造のガードレール構造体に関する。    
【背景技術】
【０００２】
従来から、各種のガードレールが提案されている。
【０００３】
特許文献１には、周囲の景観にマッチングし、歩行者の安全を確保し、自走車の衝突に耐え、補修が容易なプレキャストコンクリート製防護柵として、少なくとも片面に擬石、擬木等の自然模様を施したプレキャストコンクリート製防護柵が記載されている。ここで、プレキャストコンクリートとは、一般に、現場で組み立て・設置を行うために、工場等であらかじめ製造されたコンクリート製品、あるいはこれを用いた工法をいう。
【０００４】
特許文献２には、強度のあるコンクリート製の低い基材の上に木製部材を含む別の構造体を設置する仮設用仕切り構造体が記載されている。仮設用仕切り構造体は、比較的高さの低い防護柵と、該防護柵の背面に立設した鋼管、鋼棒、Ｈ型鋼・Ｉ型鋼・Ｔ型鋼・Ｌ型鋼等の鋼材、鉄筋又はワイヤ等の強度の有る支柱部材と、該支柱部材間に架け渡した鋼管、ワイヤ、棒状部材、鉄板、鋼製矢板、木製矢板、サイディング、ネット等の防護部材から構成され、該支柱部材は防護柵に固定される。    
【先行技術文献】
【特許文献】
【０００５】
【特許文献１】特開平５−２３０８１２号公報
【特許文献２】特開２０１５−７８５９０号公報
【発明の概要】
【発明が解決しようとする課題】
【０００６】
特許文献１の防護柵では、車両が防護柵に衝突した際に、破損したコンクリートが倒壊あるいは飛散し、倒壊や飛散の程度によっては歩行者保護が十分に確保されない事態も想定され得る。また、コンクリートに施した自然模様により景観とのマッチングを図っているものの、素材はコンクリートであるから夏は暑く、冬は冷たくなり、歩行者が不快に感じる場合も少なくない。
【０００７】
特許文献２の仮設用仕切り構造体でも、コンクリートと木製部材を使用する構造が記載されているが、特許文献１と同様にコンクリートの破損や飛散から歩行者を保護する機能が十分に確保されない事態が想定され得る。
【０００８】
本発明は、車両が衝突しても、従来以上に破損や飛散から歩行者を保護し、かつ、歩行者に対して不快感を与えることの少ないガードレール構造体を提供することを目的とする。  
【課題を解決するための手段】
【０００９】
本発明は、道路の走行方向に沿って歩道との境界に設置されるガードレール構造体であって、プレキャストコンクリート壁面または金属フェンス壁面と、前記プレキャストコンクリート壁面または金属フェンス壁面の少なくとも前記歩道側の面に設けられ、前記プレキャストコンクリート壁面または金属フェンス壁面が車両衝突により破損した際の破片飛散を抑制する竹製あるいは木製の自然素材構造体とを備えるガードレール構造体である。
【００１０】
本発明の１つの実施形態では、前記プレキャストコンクリート壁面は、鉛直方向に配置された防錆鉄筋を備える。
【００１１】
また、本発明の他の実施形態では、前記プレキャストコンクリート壁面は、ポーラスコンクリートである。
【００１２】
また、本発明の他の実施形態では、前記竹製の自然素材構造体は、前記プレキャストコンクリート壁面に一体成形される。
【００１３】
また、本発明の他の実施形態では、前記自然素材構造体は、前記プレキャストコンクリート壁面または金属フェンス壁面に固定具で地面より高い位置に固定される。
【００１４】
また、本発明は、道路の走行方向に沿って歩道との境界に設置されるガードレール構造体であって、プレキャストコンクリート壁面または金属フェンス壁面と、前記プレキャストコンクリート壁面または金属フェンス壁面の少なくとも前記歩道側の面に設けられ、前記プレキャストコンクリート壁面または金属フェンス壁面が車両衝突により破損した際の破片飛散を抑制する緑化複合マットとを備えるガードレール構造体である。
【００１５】
本発明の１つの実施形態では、前記緑化複合マットは、鉛直方向に配置された吸水体と間伐材と土を備える。
【００１６】
また、本発明の他の実施形態では、前記吸水体の下端は、前記道路の雨水溝に挿入される。
【発明の効果】
【００１７】
本発明のガードレール構造体によれば、車両衝突時の破損や飛散から歩行者を保護し、かつ、歩行者に対する不快感を低減できる。また、車両の走行音を低減する遮音効果及び吸音効果を奏する。さらに、緑化によるＣＯ２削減効果と水の蒸散作用による冷却効果により所謂ヒートアイランドの抑制効果も奏し得る。
【図面の簡単な説明】
【００１８】
【図１】実施形態のガードレール構造体の配置図（側面図）である。
【図２】実施形態のガードレール構造体の配置図（平面図）である。
【図３】実施形態のプレキャストコンクリート壁面の構成図である。
【図４】実施形態の自然素材構造体の構成図である。
【図５】実施形態のプレキャストコンクリート壁面と自然素材構造体の一体成形説明図である。
【図６】実施形態のプレキャストコンクリート壁面と自然素材構造体の固定説明図である。
【図７】実施形態の金属フェンス壁面と自然素材構造体の固定説明図である。
【図８】他の実施形態のガードレール構造体の配置図（側面図）である。
【図９】他の実施形態の緑化複合マットの構成図である。
【図１０】他の実施形態のガードレール構造体の設置説明図である。
【図１１】他の実施形態のプレキャストコンクリート壁面と緑化複合マットの固定説明図である。
【図１２】他の実施形態の金属フェンス壁面と緑化複合マットの固定説明図である。
【発明を実施するための形態】
【００１９】
以下、図面に基づき本発明の実施形態について説明する。
【００２０】
＜第１実施形態＞
図１及び図２は、本実施形態にかかるガードレール構造体の設置位置を示す。図１及び図２に示すように、ガードレール構造体１０は、車道の進行方向に沿って歩道との境界に設置される。ガードレール構造体１０は、プレキャストコンクリート壁面１２と、自然素材構造体１４から構成される。プレキャストコンクリート壁面１２はガードレール構造体１０の車道側に配置され、自然素材構造体１４はガードレール構造体１０の歩道側に配置される。ガードレール構造体１０の幅、高さ、及び厚さは特に限定されないが、高さに関しては少なくとも車道を走行する車両の車高以上とすることができる。
【００２１】
車道側に配置されるプレキャストコンクリート壁面１２は、鉄筋で強化されたプレキャストコンクリート壁面であり、モルタル等で現場施工される。鉄筋は、例えば防錆鉄筋であって少なくとも鉛直方向に複数配置される。
【００２２】
歩道側に配置される自然素材構造体１４は、竹や木の自然素材から構成される構造体１４であり、プレキャストコンクリート壁面１２の歩道側のほぼ全面を被覆する。自然素材構造体１４は、例えば複数の竹を縦横に並べ束ねて構成される。自然素材構造体１４は、プレキャストコンクリート壁面１２の歩道側の全面を被覆する他に、少なくとも車両の車高以上の高さまでプレキャストコンクリート壁面１２を被覆してもよい。
【００２３】
図３は、プレキャストコンクリート壁面１２の構成を示す。図３（ａ）は側面図、図３（ｂ）は正面図である。プレキャストコンクリート壁面１２は、防錆鉄筋１２ａとプレキャストコンクリート板１２ｂを備える。防錆鉄筋１２ａは、鉛直方向に複数配置され、車両衝突時のプレキャストコンクリート壁面１２の倒壊を防止する。プレキャストコンクリート板１２ｂは、車両衝突時に衝突エネルギを吸収する機能を有するポーラスコンクリートで形成してもよい。ポーラスコンクリートは、砂利及びセメントもしくは極少量の砂を加えた適切な配合でミキシングして製造されるもので、粗骨材（砂利）と粗骨材の間に発生する間隙を十分に埋めることなく成型される。このため、粗骨材と粗骨材との間には多孔質で連続した空隙（間隙）が存在する。プレキャストコンクリート板１２ｂは、モルタル１２ｃで現場施工される。
【００２４】
図４は、自然素材構造体１４の構成を示す。図４（ａ）は平面図、図４（ｂ）は正面図である。自然素材構造体１４は、例えば竹製であり、複数の竹を縦横に並べ束ねて構成される。図では、横の竹を竹１４ａ、縦の竹を竹１４ｂとして示す。なお、竹は、竹林の間伐材を利用でき、所定の長さを有する、乾燥処理等の前処理を意図的に行わない生の竹を使用するのが望ましい。
【００２５】
図５は、自然素材構造体１４を竹で構成する場合の、プレキャストコンクリート壁面１２と自然素材構造体１４の一体成形を示す。プレキャストコンクリート壁面１２の成形時に、竹の中にもコンクリートを流し込むことでプレキャストコンクリート壁面１２と自然素材構造体１４を一体成形し得、これにより製造コストが抑制され得る。勿論、このように一体成形することなく、別個のプレキャストコンクリート壁面１２と自然素材構造体１４とをボルト等の固定具で締結固定してもよい。
【００２６】
図６は、プレキャストコンクリート壁面１２と自然素材構造体１４の固定状態を示す。図６（ａ）は側面図、図６（ｂ）は正面図である。プレキャストコンクリート板１２ｂの歩道側の面に自然素材構造体１４の下端を地面より高い位置に保持する台座１２ｅが形成されるとともに、自然素材構造体１４を固定するための固定具１２ｄが複数形成される。自然素材構造体１４（図では破線で示す）は、この台座１２ｅに搭載され、複数の固定具１２ｄでプレキャストコンクリート板１２ｂに締結固定される。自然素材構造体１４を台座１２ｅに搭載して固定具１２ｄで固定することで、自然素材構造体１４の耐久性を高め、維持・交換コストが抑制され得る。
【００２７】
このように、ガードレール構造体１０として、車道側にプレキャストコンクリート壁面を配置することで、工期の短縮を図るとともに、工場生産により安価に安定した性能を確保し得る。
【００２８】
そして、プレキャストコンクリートとして特にポーラスコンクリートを用いることで、車両衝突時に相対的に破壊し易くなり、衝突の衝撃を緩和することができる。単にポーラスコンクリートを用いた場合ではその破片の飛散が問題となり得るが、本実施形態では自然素材構造体１４で破片飛散を抑制し得るので、ポーラスコンクリートとの組合せを用いる意義がある。
【００２９】
また、歩道側に未加工の竹製の自然素材構造体１４を配置することで、景観を大幅に改善することができるとともに、コンクリートの場合と比べて夏冬の気温差を緩和して歩行者の不快感を軽減できる。
【００３０】
さらに、車両衝突により破壊されたプレキャストコンクリート壁面１２の衝撃を吸収するとともに、コンクリートの飛散を抑制して歩行者を保護することができる。
【００３１】
なお、竹林の間伐材を利用することで、竹林の整備が進み、空間を有効活用できるとともに防災対策にも資することができる。特に竹は成長が早いので、資源が枯渇する心配がなく、循環型リサイクルが実現し得る。
【００３２】
以上のように、本実施形態のガードレール構造体１０は、コンクリート壁面と自然素材構造体からなるハイブリッド構造のガードレール構造体であり、歩行者の安全を確保し得るとともに景観及び環境にも配慮した構造体ということができる。
【００３３】
本実施形態では、自然素材構造体１４を竹で構成する場合について説明したが、竹に代えて木の幹や枝で構成してもよい。この場合も、複数の木の幹や枝を縦横に並べ束ねた形で構成し得る。
【００３４】
また、本実施形態では、自然素材構造体１４をプレキャストコンクリート壁面１２の歩道側に配置しているが、歩道側に加えて車道側に配置してもよい。
【００３５】
また、本実施形態では、プレキャストコンクリート壁面１２を用いているが、コンクリートに代えて金属フェンスを用いてもよい。
【００３６】
図７は、コンクリートに代えて金属フェンスを用いた場合の構成を示す。鉛直方向に配置された２つの支柱１２ｆの間に金属フェンス１２ｇが設けられる。金属フェンス１２ｇには固定具１２ｈが設けられ、自然素材構造体１４を金属フェンス１２ｇに固定する。金属フェンス１２ｇの場合、コンクリート板に比べて軽量のため、搬送及び設置が容易で、製造期間も短縮し得る。また、コンクリートの場合は破損して瞬時に衝撃を吸収するのに対して、金属フェンス１２ｇの場合には変形して衝撃を穏やかに吸収するので、衝突車両の損傷を抑制し得る。
【００３７】
＜第２実施形態＞
図８は、他の実施形態のガードレール構造体１０の配置を示す。ガードレール構造体１０は、プレキャストコンクリート壁面１２と、緑化複合マット１６を備える。緑化複合マット１６は、プレキャストコンクリート壁面１２の歩道側の面、及び車道側の面に配置される。
【００３８】
プレキャストコンクリート壁面１２は、鉄筋で強化されたプレキャストコンクリート壁面であり、モルタル等で現場施工される。鉄筋は、例えば防錆鉄筋であって少なくとも鉛直方向に複数配置される。
【００３９】
歩道側及び車道側に配置される緑化複合マット１６は、複数の木の幹、枝、葉、土と給水スポンジが多孔質シートで覆われて構成される構造体１６であり、プレキャストコンクリート壁面１２のほぼ全面を被覆する。緑化複合マット１６は、プレキャストコンクリート壁面１２の全面を被覆する他に、少なくとも車両の車高以上の高さまでプレキャストコンクリート壁面１２を被覆してもよい。
【００４０】
図９は、緑化複合マット１６の構成を示す。図９（ａ）は側面図、図９（ｂ）は正面図である。緑化複合マット１６は、多孔質シート１６ａと、吸水スポンジ１６ｂと、土（腐葉土）１６ｃと、間伐材（幹、枝、葉）１６ｄを備える。鉛直方向に複数配置された吸水スポンジ１６ｂは、土１６ｃ、間伐材１６ｄとともに多孔質シート１６ａに被覆される。木の幹や枝、葉の間伐材１６ｄは、乾燥処理等の前処理を意図的に行わない生の幹、枝、葉で構成される。緑化複合マット１６は、その心材として、複数の木あるいは枝を束ねて一体化した自然素材構造体を含んでいてもよい。これにより、緑化複合マット１６の強度が確保され、取り扱いを容易にし、製造・設置コストを低減し得る。
【００４１】
図１０は、本実施形態のガードレール構造体１０の設置例を示す。緑化複合マット１６の吸水スポンジ１６ｂは、その下端が多孔質シート１６ａの下端よりも下方に延びる。吸水スポンジ１６ｂの下端は、道路に設置された雨水溝１８に挿入される。吸水スポンジ１６ｂは、雨水溝１８に溜まった雨水から水分を吸収し、吸収した水分を土１６ｃ及び間伐材１６ｄに供給する。
【００４２】
図１１は、プレキャストコンクリート壁面１２と緑化複合マット１６の固定状態を示す。図１１（ａ）は側面図、図１１（ｂ）は正面図である。プレキャストコンクリート板１２ｂの歩道側の面及び車道側の面に緑化複合マット１６の下端を地面より高い位置に保持する台座１２ｅが形成されるとともに、緑化複合マット１６を固定するための固定具１２ｄが複数形成される。緑化複合マット１６（図では破線で示す）は、この台座１２ｅに搭載され、複数の固定具１２ｄでプレキャストコンクリート板１２ｂに固定される。
【００４３】
このように、ガードレール構造体１０として、プレキャストコンクリート壁面１２を配置することで、工期の短縮を図るとともに、工場生産により安価に安定した性能を確保し得る。そして、プレキャストコンクリートとしてポーラスコンクリートを用いることで、車両衝突時に相対的に破壊し易くなり、衝突の衝撃を緩和することができる。また、歩道側及び車道側に緑化複合マット１６を配置することで、景観を大幅に改善することができるとともに、コンクリートの場合と比べて夏冬の気温差を緩和して歩行者の不快感を軽減できる。また、車両衝突により破壊されたプレキャストコンクリート壁面１２の衝撃を吸収するとともに、吸水スポンジ１６ｂ、土１６ｃ、及び間伐材１６ｄでコンクリートの飛散を抑制して歩行者を保護することができる。さらに、吸水スポンジ１６ｂにより雨水溝１８に溜まった雨水を有効活用することができ、緑化複合マット１６の維持管理が容易化される。
【００４４】
本実施形態では、緑化複合マット１６をプレキャストコンクリート壁面１２の歩道側及び車道側に配置しているが、歩道側のみに配置してもよい。
【００４５】
また、本実施形態では、プレキャストコンクリート壁面１２を用いているが、コンクリートに代えて金属フェンスを用いてもよい。
【００４６】
図１２は、コンクリートに代えて金属フェンスを用いた場合の構成を示す。鉛直方向に配置された２つの支柱１２ｆの間に金属フェンス１２ｇが設けられる。金属フェンス１２ｇには固定具１２ｈが設けられ、緑化複合マット１６を金属フェンス１２ｇに固定する。金属フェンス１２ｇの場合、コンクリート板に比べて軽量のため、搬送及び設置が容易で、製造期間も短縮し得る。また、コンクリートの場合は破損して瞬時に衝撃を吸収するのに対して、金属フェンス１２ｇの場合には変形して衝撃を穏やかに吸収するので、衝突車両の損傷を抑制し得る。
【符号の説明】
【００４７】
１０  ガードレール構造体、１２  プレキャストコンクリート壁面、１４  自然素材構造体、１６  緑化複合マット。
【図１】
2020122361.tif 000003
【図２】
2020122361.tif 000004
【図３】
2020122361.tif 000005
【図４】
2020122361.tif 000006
【図５】
2020122361.tif 000007
【図６】
2020122361.tif 000008
【図７】
2020122361.tif 000009
【図８】
2020122361.tif 000010
【図９】
2020122361.tif 000011
【図１０】
2020122361.tif 000012
【図１１】
2020122361.tif 000013
【図１２】
2020122361.tif 000014